(57)【特許請求の範囲】
【請求項１】
体腔内に導入可能なシースの先端に焼灼プローブを設け、上記シースを通じて上記焼灼プローブに形成されたノズルから送液するための送液用ポンプを有する焼灼止血装置において、
装置本体の内部に配設されたポンプ駆動手段と、
上記装置本体と別体に構成され、外装で囲まれた上記送液用ポンプを有した送液ポンプユニットと、
上記装置本体に上記送液ポンプユニットを着脱可能に装着する取り付け手段と、
上記装置本体に上記送液ポンプユニットを装着したとき、上記送液ポンプの駆動軸と上記ポンプ駆動手段の駆動軸とを連結し、上記装置本体から上記送液ポンプユニットを取り外すとき、上記送液ポンプの駆動軸と上記ポンプ駆動手段の駆動軸とを分離する接続手段と、
上記装置本体に装着された送液ポンプユニットの送液ポンプの種類を検知するポンプ識別手段と、
上記ポンプ識別手段により識別した送液ポンプの特性に合わせて上記ポンプ駆動手段を制御する制御手段と、
を具備したことを特徴とする焼灼止血装置。
【請求項２】
上記焼灼プローブは上記装置本体に電気コネクタにて着脱自在に接続されるとともに上記焼灼プローブの送液コネクタは上記送液ポンプユニットに設けたコネクタ接続用口部に着脱自在に接続されることを特徴とする請求項１に記載の焼灼止血装置。
【発明の詳細な説明】
【０００１】
【発明の属する技術分野】
本発明は、装置本体に送液ポンプを備えた焼灼止血装置に関する。
【０００２】
【従来の技術】
近年、細長の挿入部を体腔内に挿入することによって、体表面からの切開を必要としないで、体腔内の観察診断或いは各種の治療処置を行うことができる内視鏡が広く使用されている。一般に内視鏡は観察手段の他に各種処置具を挿通するための中空のチャンネルが設けられており、この挿通用チャンネルを通じて症状に応じた処置具を体腔内に挿入し、術者の目視観察下で、潰瘍等の止血等、種々の治療処置を行えるようになっている。
【０００３】
現在、高周波電流発生器（以下、電気メスと呼ぶ。）が多数市販されており、組織を切断したり凝固したりすることに利用されている。しかしながら、このような手技は生体組織中に高周波電流を流すことにより熱を発生させる技術であり、生体組織中に高周波電流を流すことによる生体組織の損傷又は壊死が予測できず、また抑制もできないことが多く、そもそも生体組織に電流を流すこと自体がこの手技の適用範囲を狭めているのが実情である。
【０００４】
最近、レーザーによる組織の凝固治療装置も市販されるようになってきた。しかし、このレーザーによる手技では、レーザー光線を標的に正確に向けることが困難であり、特にレーザー装置自体が高額であり、しかも、レーザーが光学的に危険性も高く、取扱いが困難であるなどの要因から広く使われるまでには至っていない。
【０００５】
そこで、現在では、特開昭５８−６９５５６号公報で示されるように、上記各手技のものとは違い、簡単でより安全なツェナーダイオードを発熱体とした焼灼止血プローブが提案されている。発熱体としてはツェナーダイオードに限らず、特願平８−１４３１１３号のように温度係数を持った電気的抵抗体にするものも提案されている。
【０００６】
このような焼灼止血装置では送液機能も併せ持ち、出血した血液を洗い流すことで出血個所の位置を明確に分かるようにする。
そして、この送液機能を満足するために、焼灼止血装置には送液ポンプが内蔵されている。
【０００７】
【発明が解決しようとする課題】
ところで、送液ポンプによる送液機能を併せ持った焼灼止血装置は人体に送液するために、そのポンプ内及び送液管路内を消毒・滅菌することが望ましい。ところが、特開昭５８−６９５５６号公報のものでは装置本体の内部にピストンポンプを設置する構造のものであり、消毒・滅菌の方法が限定され、かつ、それらを実施するのに多大な時間と作業を必要としてしまう。
【０００８】
本発明は上述した点に鑑みてなされたもので、その目的とするところは、ポンプ駆動手段を備えた装置本体から送液ポンプユニットを取り外して簡単に送液ポンプユニットの消毒、滅菌が可能である焼灼止血装置を提供することにある。
【０００９】
【課題を解決するための手段及び作用】
本発明は、体腔内に導入可能なシースの先端に焼灼プローブを設け、上記シースを通じて上記焼灼プローブに形成されたノズルから送液するための送液用ポンプを有する焼灼止血装置において、
装置本体の内部に配設されたポンプ駆動手段と、上記装置本体と別体に構成され、外装で囲まれた上記送液用ポンプを有した送液ポンプユニットと、上記装置本体に上記送液ポンプユニットを着脱可能に装着する取り付け手段と、上記装置本体に上記送液ポンプユニットを装着したとき、上記送液ポンプの駆動軸と上記ポンプ駆動手段の駆動軸とを連結し、上記装置本体から上記送液ポンプユニットを取り外すとき、上記送液ポンプの駆動軸と上記ポンプ駆動手段の駆動軸とを分離する接続手段と、上記装置本体に装着された送液ポンプユニットの送液ポンプの種類を検知するポンプ識別手段と、上記ポンプ識別手段により識別した送液ポンプの特性に合わせて上記ポンプ駆動手段を制御する制御手段と、を具備したことを特徴とするものである。
従って、送液ポンプユニットを装置本体から取り外すことにより簡単に送液ポンプユニット内の消毒、滅菌処理を行うことが可能である。また、装置本体に装着された送液ポンプユニットの送液ポンプの種類を識別してその送液ポンプの特性に合わせて上記ポンプに最適な動作を行わせることが可能となる。
【００１０】
【発明の実施の形態】
（第１実施形態）
図１乃至図１２を参照して本発明の第１実施形態を説明する。この第１実施形態における焼灼止血装置１１は図１に示すように、前面に操作パネル１２を設けた筐体からなる装置本体１３と、装置本体１３の前面壁に着脱用の爪１４にて着脱自在に接続される送液ポンプユニット１５と、装置本体１３に電気コネクタ１６にて着脱自在に接続され、かつ送液ポンプユニット１５の後述する送液ポンプに送液コネクタ１７にて着脱自在に接続される焼灼止血プローブ１８と、装置本体１３の後部にケーブル１９を介してそのケーブル１９に設けたコネクタ２０にて着脱自在に装着されるフットスイッチ２１と、装置本体１３の側壁面に着脱自在に取り付けられる洗滌水タンク２２とを備えている。
【００１１】
上記フットスイッチ２１には、送液用スイッチ２１ａと加熱用スイッチ２１ｂとが設けてある。
上記焼灼止血プローブ１８は、細長で可撓性を有するシース２３と、このシース２３の先端に接続された焼灼プローブ２４と、上記シース２３の基部側に設けられた電気コネクタ１６及び送液コネクタ１７とからなる。シース２３及び焼灼プローブ２４は図示しない内視鏡の処置具挿通用チャンネル内に挿通され、シース２３の先端に位置する焼灼プローブ２４を体腔内に導入できるようになっている。
【００１２】
図２で示すように、上記焼灼止血プローブ１８のシース２３内にはこの軸方向中心位置にその軸方向に沿って同軸ケーブル２５が挿通されており、この同軸ケーブル２５を通じて焼灼プローブ２４内に設けた発熱素子である抵抗体２６に通電するようになっている。図２及び図３で示すように、焼灼プローブ２４の本体部材２７及びカバー部材２８にわたりその外周壁面部にはシース２３の軸方向に沿って長めの溝状に形成した複数のノズル２９，２９，…が放射状に形成されている。また、シース２３の内部空間はその複数のノズル２９，２９，…に通じ、複数のノズル２９，２９，…に洗滌水を圧送するための送液管路３０を形成している。そして送液管路３０を通じて送り込まれた洗滌水は上記各ノズル２９，２９，…から前方へ向けてジェット状に送出されるようになっている。
【００１３】
次に、第１の実施形態の焼灼止血装置１１における医療用送液装置部の構成について具体的に説明する。図４（ａ）（ｂ）は装置本体１３に送液ポンプユニット１５を着脱可能に接続するための取付け手段の構造を示す。送液ポンプユニット１５の外装３２は上下幅と左右幅が等しい矩形箱形に形成され、この外装３２は装置本体１３の前面壁に形成したポンプユニット装着用凹部３３内に密に嵌め込まれるようになっている。外装３２の上下幅と左右幅が等しいため、上下の向きを反転または左右の向きを反転し、あるいは左右の向きを上下の向きに変更して外装３２をポンプユニット装着用凹部３３内に嵌め込むことができるが、通常、図で示すように爪１４が左右に位置する姿勢にて装着されるようになっている。外装３２の上下幅と左右幅が異なる場合にはこの姿勢にて常に装着される。
【００１４】
装置本体１３内にはポンプ駆動手段のポンプ駆動用モーター３４が設置され、このモーター３４の駆動軸３５の先端部分は装置本体１３の前面壁を貫通して凹部３３内に突き出している。凹部３３内に突き出す駆動軸３５の先端部分にはスプライン軸３６が形成されている。つまり、凹部３３内には駆動軸３５のスプライン軸３６の部分のみが露出している。送液ポンプユニット１５の外装３２における左右の側面にはそれぞれバネ板を折り曲げて形成した係止用爪３７が設けられ、これに対応して装置本体１３側の凹部３３の上下左右壁部にはその爪３７が嵌まり込む溝３８が設けられている。送液ポンプユニット１５の向きを変えて装着するときのために凹部３３の上下壁部にも、その爪３７が嵌まり込む溝３８が設けられている。各溝３８の前端縁には送液ポンプユニット１５の爪３７が係止する保持部３９が突設されている。そして、装置本体１３の凹部３３に送液ポンプユニット１５を嵌め込むと、係止用爪１４が保持部３９に係着して送液ポンプユニット１５の外装３２を保持する。
【００１５】
上記送液ポンプユニット１５の外装３２内には後述する送液ポンプ４１が設けられており、送液ポンプ４１は外装３２で囲まれることにより外的要因から保護されている。外装３２の裏側外壁面には送液ポンプ４１の駆動軸４７の端部に形成されるスプライン軸４２が露出して設けられている。
送液ポンプユニット１５に内蔵する送液ポンプ４１としては種々な消毒、滅菌が可能なものであり、また、自己呼び水が可能なものであり、例えば図５で示すようなローラーポンプ方式のものがある。
【００１６】
図５に示すように、ローラーポンプのものではその外装３２内に周回溝４５が形成され、この周回溝４５には弾性特性をもったチューブ４６の中間部分が嵌め込まれている。さらに周回溝４５の周回中心位置には上記スプライン軸４２に連結した駆動軸４７が配設され、駆動軸４７にはここでは３つのローラー４８が設けられている。そして、駆動軸４７が回転すると、その軸回転周方向へ、３つのローラー４８も移動しながら回転し、３つのローラー４８は周回溝４５内に位置するチューブ４６の中間部分を順繰りに押し潰し、これによって、送液を行うようになっている。
【００１７】
外装３２の表側に露出する外壁面には上記ローラーポンプのチューブ４６の一端に通じた第１の口部５１が設けられている。第１の口部５１には上記焼灼止血プローブ１８の送液コネクタ１７が着脱自在に接続される。外装３２の表側に露出する側壁面には上記ローラーポンプのチューブ４６の他端に通じた第２の口部５２が設けられ、第２の口部５２には上記洗滌水タンク２２に通じる送液チューブ５３が接続される。
【００１８】
装置本体１３の凹部３３内に送液ポンプユニット１５を配設すると、送液ポンプユニット１５のスプライン軸４２は装置本体１３側のスプライン軸３６に噛み合って連結する。ポンプ駆動用モーター３４が動作すると、その駆動軸３５、スプライン軸３６から送液ポンプユニット１５のスプライン軸４２を介して送液ポンプユニット１５の駆動軸４７に回転が伝達され、送液ポンプユニット１５の送液ポンプ４１が作動する。図４で示すように、スプライン軸３６，４２の形状が十字状であるが、両軸３６，４２の着脱が可能であればこれに限らない。
【００１９】
このようにスプライン軸３６，４２を用いることで、ポンプ駆動用モーター３４の駆動軸３５と、送液ポンプ４１の駆動軸４７とが分離可能な構造とし、外装３２の一部に形成された着脱手段である爪１４を共通とすることで、種々な消毒、滅菌可能で自己呼び水が可能な送液ポンプを内蔵した種々の送液ポンプユニット１５から症例に合うものを選択し、これを装置本体１３に装着して使用することが可能になる。また、消毒、滅菌が可能で、自己呼び水が可能な送液ポンプの他の例のものとしては、ローラーポンプ、ピストンポンプ、ギヤードポンプなどを挙げることができる。
【００２０】
上記のような構成の送液ポンプユニット１５の場合において、確実に消毒、滅菌を行うために送液ポンプ４１の駆動軸４７を送液ポンプユニット１５から抜いたり、軸方向または軸の横方向にずらして、チューブ４６の弾性力を利用し、チューブ４６を閉塞状態から開放させてもよい。この場合、再度、送液ポンプ４１の駆動軸４７を挿入し易くするために、図６で示すように、ローラー４８の周縁部と、送液ポンプ４１の駆動軸４７の挿入側先端部分をテーパー状に形成するとよい。
【００２１】
さらに、送液ポンプ４１の形式がローラーポンプの場合にあってはチューブ４６の周壁を繰り返してしごくためにチューブ４６の周壁に亀裂が入り、その亀裂から送液ポンプユニット１５内で送液している液体が漏れて外装３２内に溢れ出ることもあり得る。このため、図７で示すように、送液ポンプ４１の駆動軸４７よりも下部に位置して外装３２にドレーン口５４を設けてもよい。ドレーン口５４には図示しないチューブを接続し、このチューブを介して溢れ出た液体を洗滌水タンク２２に戻すようにしてもよい。
【００２２】
次に、送液ポンプユニット１５に内蔵する送液ポンプ４１として、図８にギヤードポンプを採用した送液ポンプユニットの例を説明する。送液ポンプユニット１５の外装３２の内部には送液ポンプ用駆動軸４７に連結された第１のギヤ６１とこれと連動して動くもう一つの第２のギヤ６２が配設されている。駆動軸４７が回転し、これにより第１のギヤ６１と第２のギヤ６２がかみ合いながら回転することで送液可能な状態となる。
【００２３】
送液ポンプユニット１５に内蔵する送液ポンプ４１として、ここでは図示しないが、ピストンポンプのものでもよく、これも送液ポンプユニット内に簡単に配設することが可能なものである。
【００２４】
このように、スプライン軸３６，４２を用いて、送液ポンプユニット１５の送液ポンプを外装３２にて保護することで、着脱可能で種々な消毒、滅菌可能で自己呼び水可能な送液ポンプを内蔵した送液ポンプユニットを提供することができる。従って、送液ポンプの形式が異なり、または送液ポンプの能力が異なる２種類以上の送液ポンプユニット１５を用意し、これらのものから症例に最適なものを選択して焼灼止血装置１１に接続して使用することができる。
【００２５】
次に、上記のような送液ポンプの形式が異なり、または送液ポンプの能力が異なる２種類以上の送液ポンプユニット１５をそれぞれ駆動できる制御系について述べる。
上記のように同じ装置本体１３のポンプ駆動用モーター３４で種々な送液ポンプユニット１５の送液ポンプを駆動するようにすると、必然的にこれを駆動する駆動手段の、例えばモーターの回転数トルク特性が異なってしまう。そこで、図９で示したように、装置本体１３に接続した送液ポンプユニット１５の種類を識別するポンプ識別部７１によりポンプ駆動用モーター３４の種類を識別し、制御回路７２にて判別した送液ポンプの種類に合わせてそのポンプ駆動用モータ−３４の駆動を制御することで、送液ポンプの種類にあわせて適切な動作を行わせることができる。
【００２６】
次に送液ポンプユニット１５の種類を識別するポンプ識別部７１の具体例を説明する。図１０で示すように、送液ポンプユニット１５の外装３２の裏側面には焼灼止血装置１１の装置本体１３における送液ポンプユニット装着用凹部３３に向って突き出す突起７３を設ける。この突起７３はその送液ポンプユニット１５の送液ポンプの種類や能力等に応じて異なる位置が選ばれ、その特定の位置に突設されている。また、図１１で示すように、装置本体１３の送液ポンプユニット装着用凹部３３の底壁部には各別の送液ポンプユニット１５の突起７３に応じた各位置でそれぞれ形成された複数の穴７４が開けられている。そして、凹部３３内に送液ポンプユニット１５が装着されたとき、その送液ポンプユニット１５の突起７３が対応する特定の穴７４に突起７３が嵌め込み位置するようになっている。また、各穴７４の内側にはその穴７４の中心軸を挟んでフォトカプラ７５が配設されている。
【００２７】
しかして、送液ポンプユニット１５が凹部３３内に配設された場合、送液ポンプユニット１５の突起７３が、ポンプの種類毎に異なる位置に設けた特定の穴７４に挿入され、その突起７３はフォトカプラ７５をオフする。このことにより送液ポンプユニット１５に配設されたポンプの種類を識別することが可能となる。
【００２８】
尚、送液ポンプユニット１５の送液ポンプの種類を識別する手段として、フォトカプラではなく、図示しないが、例えばスイッチを用いて、突き出た突起７３を検出するようにしてもよい。また、突起７３を装置本体側のスイッチ部に設け、送液ポンプユニット１５側の該当する部分に嵌まり込む凹部を形成することで、装着した送液ポンプユニット１５のポンプの種類を識別することもできる。さらには突起ではなく赤外線や磁気など各種センサとそれに適用される対象物を送液ポンプユニット１５側に設けて送液ポンプユニット１５のポンプの種類を識別するようにしてもよい。
【００２９】
そして、例えば、図５で示すローラーポンプの場合、トルクは低くてよいが、回転数が高くなくてはならない。また、図示しないが、ピストンポンプの場合には回転数は低くてよいが、トルクは高くなくてはならない。このようにポンプの種類にあわせて、回転数トルク制御回路は既知であるポンプの特性に合わせて回転数とトルク等が適正な条件になるようにモーター３４を駆動するように構成する。これによりポンプ毎に最適な動作を行わせることが可能となる。
【００３０】
また、これまで述べなかったが、上記のような送液ポンプユニット１５を装置本体１３の凹部３３に配設する場合、その固定方法は種々考えられる。図１２（ａ）で示すものは係止用爪１４の弾性的に広がる向きの表面に突出した保持部３９が嵌まり込んで係止する溝８１を設けるようにしたものでもよい。係止用爪１４の弾性力に抗して押すと保持部３９から溝８１が外れ、送液ポンプユニット１５を装置本体１３の凹部３３から引き出せる。
また、図１２（ｂ）で示すように、係止用爪１４がシーソー式に設けられ、その一端部を爪部８２とし、装置本体１３の壁面に設けた係合穴８３に挿入するとそれ自身の弾性で保持部８４に自動的に係合するようにしたものでもよい。係止用爪１４の他端部を押すとシーソー式に回動して爪部８２が係合穴８３の保持部８４から外れ、送液ポンプユニット１５を装置本体１３の凹部３３から引き出せる。この様な種々の機構の取付け手段を採用することができる。
【００３１】
さらに、送液ポンプユニット１５の外装３２の向きを左右または上下の向きを反転し、あるいは左右の向きを上下の向きに変更して外装３２を送液ポンプユニット装着用凹部３３内に嵌め込むことができるため、送液ポンプユニット１５を様々な角度で配設することができる。このとき、上記ポンプ識別回路と同じ構成を利用すると、送液ポンプユニット１５が配設された向きを識別することもできるようになる。このようにすると、送液ポンプユニット１５の吸引、吐出口の位置が異なるものとなり、さらにいえば、図５で示したローラーポンプ及び図８で示したギヤードポンプの場合、ポンプの配設する向きによりモーターの回転方向を変えるように制御部を構成することで、送液ポンプの吸引、吐出口を逆にすることも可能になる。これにより処置具類にあわせた送液ポンプの配設向きの自由度が増し、使用者がより簡単に操作することが可能となる。
【００３２】
この第１実施形態によれば、送液ポンプユニット１５の送液ポンプ４１を駆動する駆動軸４７にスプライン軸４２を用い、装置本体１３側の駆動手段の駆動軸３５にもスプライン軸３６を用いることにより装置本体１３側から送液ポンプユニット１５を分離及び着脱可能とする接続手段としたことで、送液ポンプユニット１５がワンタッチで簡単に着脱または交換可能なものとなる。従って、種々のタイプの送液ポンプを内蔵する送液ポンプユニット１５を使用できるようになり、また、内蔵したポンプ別に送液ポンプユニット１５を識別するポンプ識別手段により識別された送液ポンプの種類にあわせて駆動手段を駆動する制御手段を持つことで、装置本体１３の内部に送液ポンプが配設されている装置に比べ、送液管路内の消毒、滅菌を簡単に実現することが可能となる。処置に必要な送液ポンプを内蔵した送液ポンプユニット１５を選択することで、より安全かつ効果的な処置を行うことが可能な焼灼止血装置を提供することができる。
【００３３】
（第２実施形態）
図１３を参照して本発明の第２実施形態を説明する。この第２実施形態では第１実施形態のポンプタイプ識別手段に代え、図１３で示すように、送液ポンプユニット１５内に内蔵された送液ポンプの特性にあわせた加減速手段９５、例えばギヤ機構を備える。スプライン軸４２から伝達された駆動エネルギーは駆動軸４７と加減速手段９５により送液ポンプに伝達され、その送液ポンプを駆動する。この加減速手段９５の設定は内蔵された送液ポンプの特性に合わせて行われる。
【００３４】
この第２実施形態の場合は送液ポンプユニット１５で内蔵した送液ポンプのタイプに合わせた回転数となるように加減速手段９５を予め設定するようにしているため、第１実施形態のようなポンプ識別手段を必要とすることがなく、駆動手段はたえず設定された回転数により動作する。
【００３５】
このように第２実施形態の場合はポンプ識別手段を必要としないため、全体の構成が簡略化される利点があり、第１実施形態以上に細かなバリエーションを生み出すことか容易となり、より細分化された送液ポンプユニット１５を持つ焼灼止血装置を提供することが容易となる。
【００３６】
（第３実施形態）
この第１実施形態では焼灼止血装置１１の焼灼プローブ２４では発熱体として抵抗体を用いるが、この場合、一般には発熱を一定温度にて行う定温制御が用いられ、発熱温度は焼灼プローブ２４に内蔵された発熱体である抵抗体２６自身のインピーダンス変化をフィードバックすることで検知している。この方式では正確には発熱体を定温制御するといえ、実際に生体組織に作用する焼灼プローブ２４の表面の温度は熱放熱性の違いによりばらつきが生じる。
【００３７】
そこで、これを改善するため、図１４で示すように温度係数をもった抵抗薄膜９６をプローブ表面に形成し、抵抗薄膜９６の両端に電極９７を接続する。さらにその上にはりつき防止コーティング９８を設けることが考えられる。電極９７の間及び抵抗薄膜９６と接触する焼灼プローブ２４のプローブ本体部９９は電気的絶縁体となっており、また、はりつき防止コーティング９８も電気的絶縁体として機能する。機械的強度を高めるため、張り付き防止コーティング９８の外周面に別の絶縁部材または金属部材で覆うようにしてもよい。
【００３８】
これは装置本体１３側から電極９７に電力が給電されると、その電極９７間に配設された発熱体としての抵抗薄膜９６に電流が流れるようになる。張り付き防止コーティング９８が電気的絶縁体として機能しない場合には、図示しないが、抵抗薄膜９６と張り付き防止コーティング９８の間に絶縁膜を形成するようにする。
【００３９】
この方式では抵抗薄膜９６が張り付き防止コーティング９８の下層面に均一に形成されているため、プローブ表面の温度は、ほとんど発熱体の温度と同じとすることができ、また、電流を生体組織中に流す必要がない。したがって、この手技の適用範囲を広げることができる。また、これまでのように発熱体をプローブ内部に配設するのに比べて、プローブの形状に自由度を持たせることもできる。
【００４０】
［付記］
１）内視鏡の処置具用チャンネル等を通して体腔内に挿通可能なシースの先端に焼灼プローブを設け、上記シースを通じて焼灼プローブに形成されたノズルから送液するための送液用ポンプを有する焼灼止血装置において、
装置本体の内部に配設されたポンプ駆動手段と、送液用ポンプを有した送液ポンプユニットと、上記装置本体に送液ポンプユニットを着脱可能に装着する取付け手段と、上記装置本体に送液ポンプユニットを装着したとき送液ポンプの駆動軸とポンプ駆動手段の駆動軸とを分離自在に連結する接続手段とを具備したことを特徴とする焼灼止血装置。
２）送液ポンプユニットは装置本体の外面部に装着する外付け式のものであることを特徴とする第１項に記載に焼灼止血装置。
３）上記装置本体に装着される複数の送液ポンプユニットを備え、各送液ポンプユニットに備えられた送液ポンプは送水能力の異なる少なくとも２つ以上の種類のものであることを特徴とした第１，２項に記載の焼灼止血装置。
【００４１】
４）送液ポンプユニットの外装はこれに内蔵する送液ポンプの種類別に形状が異なることを特徴とした第３項に記載の焼灼止血装置。
５）装置本体に装着される送液ポンプユニットに内蔵する送液ポンプの種類に合わせた送液ポンプユニットの外装形状の違いを検知して送液ポンプ類を識別するポンプ識別手段と、送液ポンプを駆動するポンプ駆動手段と、ポンプ識別手段により検知された送液ポンプの既知である回転数及びトルク等の送水特性に合わせて駆動手段を制御する制御手段とを具備したことを特徴とする第３，４項に記載の焼灼止血装置。
６）送液ポンプユニットにはポンプ駆動手段の駆動軸から送液ポンプの駆動軸に伝達される回転数を変更して送液ポンプに伝達する変速手段を有することを特徴とする第１〜５項に記載の焼灼止血装置。
【００４２】
７）送液ポンプユニットに内蔵する送液ポンプがローラーポンプである場合、ポンプハウジングの駆動軸より低い位置に排水手段であるドレーン口を有することを特徴とした第１〜６項に記載の焼灼止血装置。
８）送液ポンプユニットの外装はこれに内蔵する送液ポンプの種類別に形状が異なり、ポンプ駆動手段はその外装の形状の違いから送液ポンプユニットの配設した向きを検知する識別手段と、送液ポンプを双方向に駆動できる駆動手段と、上記識別手段により検知された送液ポンプユニットの配設向きに合わせて駆動方向を含めて回転数及びトルク等の駆動状態を制御する制御手段とを有することを特徴とする第１〜７項に記載の焼灼止血装置。
９）焼灼プローブは、生体組織が張り付くことを防止するために、プローブ表面にコーティングを形成し、コーティングの下層に一様に形成された発熱体としての薄膜抵抗体と、この薄膜抵抗体に電力を給電するための電極を有することを特徴とした第１〜８項に記載の焼灼止血装置。
【００４３】
ところで、送液ポンプによる送液機能を併せ持った焼灼止血装置は人体に送液するために、そのポンプ内及び送液管路内を消毒・滅菌することが望ましい。このような要求に対し、特開昭５８−６９５５６号公報のものでは装置本体の内部にピストンポンプを設置する構造のものであり、消毒・滅菌の方法が限定され、かつそれらを実施するのに多大な時間と作業を必要としてしまう。
そこで、チューブのみを交換することで、簡単に消毒・滅菌が可能なローラーポンプを搭載する方法や、特願平９−３０８１０号の未公開出願のように、ローラーポンプを外付けユニット内に設置し、この送液ポンプユニットそのものを消毒・滅菌できるような構造のものが考えられる。
しかし、何れの解決策もローラーポンプを使用していることには変わりなく、ローラーポンプの特徴として送液能力が低い点があげられ、この面から特に細長い処置具と組み合わせて送液した際に送液量及び吐出圧力が低くなり、凝血塊を洗い流すことができなくなる場合等もあり得た。
【００４４】
そこで、付記第５の発明は、送液ポンプユニットには、呼び水が不要で、消毒、滅菌可能な送液ポンプを内蔵し、この送液ポンプはローラーポンプやピストンポンプといった少なくとも２種類のもので構成されており、送液ポンプユニットを駆動するときに内蔵された送液ポンプの種類にあわせて適切な動作を行うようにしたものである。これによれば、送液を行う際は症例にあったポンプを内蔵した送液ポンプユニットを本体に配設することで適切な処置が行え、またポンプ内蔵型に比べてポンプの消毒、滅菌を行っている最中でも他のポンプを使用することができ、使用時期を選ばない装置を提供することができる。
【００４５】
【発明の効果】
以上に述べたように本発明によれば、ポンプ駆動手段を備えた装置本体から送液ポンプユニットを取り外して送液ポンプユニットの消毒、滅菌を行うことができるため、消毒・滅菌の方法が限定されることがなく、かつ、それらを実施するのに多大な時間と作業を必要とせず、簡単に消毒・滅菌することができる。
【図面の簡単な説明】
【図１】第１実施形態に係る焼灼止血装置の外観図。
【図２】上記焼灼止血装置を構成するヒートプローブの断面図。
【図３】図２中のＡ−Ａ線に沿うヒートプローブの部分の横断面図。
【図４】（ａ）は第１実施形態を示す送液ポンプユニットと装置本体との着脱状態を示す外観図、（ｂ）は送液ポンプユニットの外観図。
【図５】ローラーポンプを内蔵した送液ポンプユニットの断面図。
【図６】上記送液ポンプユニットの送液ポンプに駆動軸を抜差可能にした際のローラー及び駆動軸の説明図。
【図７】上記送液ポンプユニットにドレーン口を形成したものの外観図。
【図８】ギヤードポンプを内蔵した送液ポンプユニットの断面図。
【図９】ポンプ制御方法の概略図。
【図１０】送液ポンプユニット外装の変形例の斜視図。
【図１１】ポンプ識別部の構成図。
【図１２】送液ポンプユニットの本体への固定手段の説明図。
【図１３】第２実施形態を示す送液ポンプユニットの説明図。
【図１４】プローブの発熱体をプローブ表面の張り付き防止コーティング下層に形成した場合の説明図。
【符号の説明】
１１…焼灼止血装置、１３…装置本体、１５…送液ポンプユニット、１８…焼灼止血プローブ、２３…シース、２４…焼灼プローブ、２９…ノズル、３２…外装、３３…凹部、３４…ポンプ駆動用モーター３５…駆動軸、３６…スプライン軸、４１…送液ポンプ、４２…スプライン軸、４７…駆動軸。
【図１】
0004021049.tif 000002
【図２】
0004021049.tif 000003
【図３】
0004021049.tif 000004
【図４】
0004021049.tif 000005
【図５】
0004021049.tif 000006
【図６】
0004021049.tif 000007
【図７】
0004021049.tif 000008
【図８】
0004021049.tif 000009
【図９】
0004021049.tif 000010
【図１０】
0004021049.tif 000011
【図１１】
0004021049.tif 000012
【図１２】
0004021049.tif 000013
【図１３】
0004021049.tif 000014
【図１４】
0004021049.tif 000015